【手続補正書】
【提出日】平成16年1月28日(2004.1.28)
【手続補正１】
【補正対象書類名】明細書
【補正対象項目名】特許請求の範囲
【補正方法】変更
【補正の内容】
【特許請求の範囲】
【請求項１】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムであって、
前記通信回線を使用した通信要求が発生し、かつ中継点もしくは通信相手先となる構内交換装置で通信不可能であることを判断した場合に、中継点もしくは通信相手先となる構内交換装置から発信元の構内交換装置に対し、前記通信回線上の制御プロトコルで定義される制御信号中に中継点もしくは通信相手先となる構内交換装置の識別情報を挿入して送信する識別情報送信手段と、
発信元の構内交換装置にて受信した制御信号中に識別情報が挿入されていた場合に、当該識別情報に応じて処理を実行する対応処理実行手段とを具備したことを特徴とするデジタルネットワークシステム。
【請求項２】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムであって、
前記複数の構内交換装置の各々に、通信不可能の理由を示す情報と、当該通信不可能に対する処理形態を示す情報との対応関係を表わすデータを記憶する通信不可能対応テーブルを設け、
前記通信回線を使用した通信要求が発生し、かつ中継点もしくは通信相手先となる構内交換装置で通信不可能であることを判断した場合に、中継点もしくは通信相手先となる構内交換装置から発信元の構内交換装置に対し、前記通信回線上の制御プロトコルで定義される制御信号中に通信不可能の理由を示す情報とを挿入して送信する通信不可能情報送信手段と、
発信元の構内交換装置にて受信した制御信号中に通信不可能の理由を示す情報が挿入されていた場合に、当該通信不可能の理由に対応する処理形態を示す情報を前記通信不可能対応テーブルから読み出し、この読み出し情報に基づき処理を実行する対応処理実行手段とを具備したことを特徴とするデジタルネットワークシステム。
【請求項３】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムであって、
前記複数の構内交換装置の各々に、通信不可能の理由を示す情報と、当該通信不可能に対する処理形態を示す情報との対応関係を表わすデータを記憶する通信不可能対応テーブルを設け、
前記通信回線を使用した通信要求が発生し、かつ中継点もしくは通信相手先となる構内交換装置で通信不可能であることを判断した場合に、中継点もしくは通信相手先となる構内交換装置から発信元の構内交換装置に対し、前記通信回線上の制御プロトコルで定義される制御信号中に中継点もしくは通信相手先となる構内交換装置の識別情報と通信不可能の理由を示す情報とを挿入して送信する通信不可能情報送信手段と、
発信元の構内交換装置にて受信した制御信号中に識別情報と通信不可能の理由を示す情報とが挿入されていた場合に、当該通信不可能の理由を示す情報に対応する処理形態を示す情報を前記通信不可能対応テーブルから読み出し、この読み出し情報及び識別情報に基づき処理を実行する対応処理実行手段とを具備したことを特徴とするデジタルネットワークシステム。
【請求項４】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムで使用される構内交換装置であって、
前記通信回線を使用した通信要求が発生し、かつ通信不可能であることを判断した場合に、発信元の構内交換装置に対し、前記通信回線上の制御プロトコルで定義される制御信号中に自装置の識別情報を挿入して送信する識別情報送信手段と、
受信した制御信号中に識別情報が挿入され、かつ自装置が発信元となる場合に、当該識別情報に応じて処理を実行する対応処理実行手段とを具備したことを特徴とする構内交換装置。
【請求項５】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムで使用される構内交換装置であって、
通信不可能の理由を示す情報と、当該通信不可能に対する処理形態を示す情報との対応関係を表わすデータを記憶する通信不可能対応テーブルと、
前記通信回線を使用した通信要求が発生し、かつ通信不可能であることを判断した場合に、発信元の構内交換装置に対し、前記通信回線上の制御プロトコルで定義される制御信号中に通信不可能の理由を示す情報を挿入して送信する通信不可能情報送信手段と、
受信した制御信号中に通信不可能の理由を示す情報が挿入され、かつ自装置が発信元となる場合に、当該通信不可能の理由に対応する処理形態を示す情報を前記通信不可能対応テーブルから読み出し、この読み出し情報に基づき処理を実行する対応処理実行手段とを具備したことを特徴とする構内交換装置。
【請求項６】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムで使用される構内交換装置であって、
通信不可能の理由を示す情報と、当該通信不可能に対する処理形態を示す情報との対応関係を表わすデータを記憶する通信不可能対応テーブルと、
前記通信回線を使用した通信要求が発生し、かつ通信不可能であることを判断した場合に、発信元の構内交換装置に対し、前記通信回線上の制御プロトコルで定義される制御信号中に自装置の識別情報と通信不可能の理由を示す情報とを挿入して送信する通信不可能情報送信手段と、
受信した制御信号中に識別情報と通信不可能の理由を示す情報とが挿入され、かつ自装置が発信元となる場合に、当該通信不可能の理由を示す情報に対応する処理形態を示す情報を前記通信不可能対応テーブルから読み出し、この読み出し情報及び識別情報に基づき処理を実行する対応処理実行手段とを具備したことを特徴とする構内交換装置。
【請求項７】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とするデジタルネットワークシステムで使用される通信方法であって、
中継点もしくは通信相手先となる構内交換装置において、前記通信回線を使用した通信要求が発生した場合に、通信不可能であるか否かを判断する過程と、
通信不可能であることを判断した場合に、中継点もしくは通信相手先となる構内交換装置から発信元の構内交換装置に対し、前記通信回線上の制御プロトコルで定義される制御信号中に中継点もしくは通信相手先となる構内交換装置の識別情報を挿入して送信する過程と、
発信元の構内交換装置において、受信した制御信号中に識別情報が挿入されていた場合に、当該識別情報に応じて処理を実行する過程とを具備したことを特徴とする通信方法。
【請求項８】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とし、かつ通信不可能の理由を示す情報と、当該通信不可能に対する処理形態を示す情報との対応関係を表わすデータを記憶する通信不可能対応テーブルを備えたデジタルネットワークシステムで使用される通信方法であって、
中継点もしくは通信相手先となる構内交換装置において、前記通信回線を使用した通信要求が発生した場合に、通信不可能であるか否かを判断する過程と、
通信不可能であることを判断した場合に、中継点もしくは通信相手先となる構内交換装置から発信元の構内交換装置に対し、前記通信回線上の制御プロトコルで定義される制御信号中に通信不可能の理由を示す情報を挿入して送信する過程と、
発信元の構内交換装置において、受信した制御信号中に通信不可能の理由を示す情報が挿入されていた場合に、当該通信不可能の理由に対応する処理形態を示す情報を前記通信不可能対応テーブルから読み出し、この読み出し情報に基づき処理を実行する過程とを具備したことを特徴とする通信方法。
【請求項９】
終端に内線端末を接続できる少なくとも１つの内線を収容する構内交換装置を２以上備え、これら複数の構内交換装置相互間を通信回線で接続し、一方の構内交換装置に接続される内線端末と、他方の構内交換装置に接続される内線端末との間を前記複数の構内交換装置及び前記通信回線を介して接続して通信を可能とし、かつ通信不可能の理由を示す情報と、当該通信不可能に対する処理形態を示す情報との対応関係を表わすデータを記憶する通信不可能対応テーブルを備えたデジタルネットワークシステムで使用される通信方法であって、
中継点もしくは通信相手先となる構内交換装置において、前記通信回線を使用した通信要求が発生した場合に、通信不可能であるか否かを判断する過程と、
通信不可能であることを判断した場合に、中継点もしくは通信相手先となる構内交換装置から発信元の構内交換装置に対し、前記通信回線上の制御プロトコルで定義される制御信号中に中継点もしくは通信相手先となる構内交換装置の識別情報と通信不可能の理由を示す情報とを挿入して送信する過程と、
発信元の構内交換装置において、受信した制御信号中に識別情報と通信不可能の理由を示す情報とが挿入されていた場合に、当該通信不可能の理由を示す情報に対応する処理形態を示す情報を前記通信不可能対応テーブルから読み出し、この読み出し情報及び識別情報に基づき処理を実行する過程とを具備したことを特徴とする通信方法。